(57)【要約】【課題】光ファイバ同士を簡便で安価に接続することができるな光コネクタアダプタに関する。【解決手段】光コネクタアダプタ２１のアダプタハウジング２２の一方に設けられた第１の光ファイバケーブルの光ファイバ素線７をフェルール５に支持されて取り付けられた光コネクタプラグ４を着脱自在に収容するための光コネクタプラグ収容部２３，２８，３０と、アダプタハウジング２２の他方に設けられ第１の光ファイバケーブルの光ファイバ素線７と第２の光ファイバケーブルの光ファイバ素線７が同軸上で対向するように第２の光ファイバケーブルの光ファイバ素線７の少なくとも一部を収容する収容孔３４が設けられた光ファイバ素線収容部２４，３２と、コネクタプラグ収容部２３と光ファイバ素線収容部３２との間に両光ファイバ素線７の軸方向に直交するように設けられた薄膜状の屈折率整合部材３８とを備えたものである。【選択図】      図２
2004191717.tif 000002
【特許請求の範囲】
【請求項１】
第１の光ファイバケーブルと第２の光ファイバケーブルの各光ファイバ素線をアダプタハウジング内で接続する光コネクタアダプタであって、
前記光コネクタアダプタの前記アダプタハウジングの一方に設けられ前記第１の光ファイバケーブルの光ファイバ素線をフェルールに支持されて取り付けられた光コネクタプラグを着脱自在に収容するための光コネクタプラグ収容部と、
前記アダプタハウジングの他方に設けられ前記第１の光ファイバケーブルの光ファイバ素線と前記第２の光ファイバケーブルの光ファイバ素線が同軸上で対向するように前記第２の光ファイバケーブルの光ファイバ素線の少なくとも一部を収容する収容孔が設けられた光ファイバ素線収容部と、
前記コネクタプラグ収容部と前記光ファイバ素線収容部との間に前記両光ファイバ素線の軸方向に直交するように設けられた薄膜状の屈折率整合部材とを備えたことを特徴とする光コネクタアダプタ。
【請求項２】
前記光ファイバ素線収容部の前記収容孔の一部は、前記第２の光ファイバケーブルの光ファイバ素線を保護するために設けられた光ファイバ素線保護部材が収容されるように形成された請求項１に記載の光コネクタアダプタ。
【請求項３】
前記光ファイバ素線収容部の収容孔に前記第２の光ファイバケーブルの光ファイバ素線を、該光ファイバ素線の先端が前記屈折率整合部材に当接するように収容固定された請求項１又は２に記載の光コネクタアダプタ。
【請求項４】
第１の光ファイバケーブルと第２の光ファイバケーブルの各光ファイバ素線をアダプタハウジング内で接続する光コネクタアダプタであって、
一方側に光コネクタプラグが収容される筒状部が形成され他方側に前記筒状部の中心に沿って開口孔を有するブロック部が形成されたアダプタハウジングと、
該アダプタハウジングの前記筒状部の内部空間から前記開口孔に亘って設けられた円筒状のアダプタ内部ハウジングと、
該アダプタ内部ハウジングの前記内部空間側に前記第１の光ファイバケーブルが接続された前記光コネクタプラグの光ファイバ素線を支持したフェルールを収容するフェルール収容部が形成され、前記開口孔側に前記第１の光ファイバケーブルの光ファイバ素線と同軸上で対向するように第２の光ファイバケーブルの光ファイバ素線を収容する収容孔が設けられた円柱状の光ファイバ素線収容部が形成され、かつ前記フェルール収容部と前記光ファイバ素線収容部との間に前記両光ファイバ素線の軸方向に直交するように薄膜状の屈折率整合部材が設けられ、前記アダプタ内部ハウジングの内部に挿入された光接続補助部材とを備えたことを特徴とする光コネクタアダプタ。
【請求項５】
前記光接続補助部材の光ファイバ素線収容部に形成された前記収容孔の挿入側の一部は前記第２の光ファイバケーブルの内部被覆が収容可能であると共に、前記収容孔の出口側の一部は前記第２の光ファイバケーブルの光ファイバ素線が収容可能であるように形成された請求項４に記載の光コネクタアダプタ。
【請求項６】
前記光接続補助部材の光ファイバ素線収容部に形成された前記収容孔の挿入側の一部は、前記第２の光ファイバケーブルの光ファイバ素線と該第２の光ファイバケーブルの内部被覆との収容孔を有する円柱体として形成された光ファイバ素線保護部材が収容可能であると共に、前記収容孔の出口側の一部は前記第２の光ファイバケーブルの光ファイバ素線が収容可能であるように形成された請求項４に記載の光コネクタアダプタ。
【請求項７】
前記アダプタハウジングの前記開口孔の近傍に所要の長さであって、かつ湾曲状に形成された光ファイバガイド部が設けられた請求項４，５又は６に記載の光コネクタアダプタ。
【請求項８】
前記光接続補助部材の前記フェルール収容部が割りスリーブとして形成された請求項４，５，６又は７に記載の光コネクタアダプタ。
【請求項９】
前記光接続補助部材の光ファイバ素線収容部の収容孔に前記第２の光ファイバケーブルの光ファイバ素線を、該光ファイバ素線の先端が前記屈折率整合部材に当接するように収容固定された請求項４，５，７又は８に記載の光コネクタアダプタ。
【請求項１０】
前記光接続補助部材の光ファイバ素線収容部の収容孔に、前記第２の光ファイバケーブルの光ファイバ素線と内部被覆との収容孔を有する円柱体の光ファイバ素線保護部材と前記光ファイバ素線とを、該光ファイバ素線の先端が前記屈折率整合部材に当接するように収容固定された請求項６又は７に記載の光コネクタアダプタ。
【請求項１１】
前記光接続補助部材の光ファイバ素線収容部の収容孔に、前記第２の光ファイバケーブルの光ファイバ素線と内部被覆との収容孔を有する円柱体に所要の長さであってかつ湾曲状に形成された光ファイバガイド部が設けられたガイド付光ファイバ素線保護部材と前記光ファイバ素線とを、該光ファイバ素線の先端が前記屈折率整合部材当接するように収容固定された請求項６に記載の光コネクタアダプタ。
【発明の詳細な説明】
【０００１】
【発明の属する技術分野】
本発明は、光ファイバ同士を接続するための光コネクタアダプタに関するものである。
【０００２】
【従来の技術】
従来の光ファイバ同士を接続するための光コネクタは、図１４に示すように、左右にそれぞれ接続開口部３を有する光コネクタアダプタ１のアダプタハウジング２に、フェルール５によって支持された光ファイバケーブル６の光ファイバ素線７を支持した光コネクタプラグ４をそれぞれ着脱可能に挿入し、両方の光コネクタプラグ４の光ファイバ素線７同士を直接接触させて接続するものがある。
前述の光コネクタアダプタ１の内部構造は、図１５に示す側面断面図のように、左右対称形状の２つのアダプタハウジング２とアダプタ内部ハウジング８とを接合するものであるが、両者の接合の際に図１６に示すスリット１０を有する割りスリーブ９をアダプタ内部ハウジング８内に挿入するものである。なお、図１６（ａ）（ｂ）（ｃ）（ｄ）は、それぞれ左側面図，正面図，右側面図，底面図ある。
【０００３】
また、光コネクタプラグ４の構造の概要は、図１７の側面断面図に示すように、プラグハウジング１１の内側にはプラグ内部ハウジング１２が設けられ、その内側にスプリング１３で光ファイバの内部被覆１４と光ファイバ素線７を支持したフェルール５に押圧力を加えた状態でプラグ内部ハウジング１２に係合している。なお、１５はフェルール５を固定するための内部かしめ部品であり、光ファイバケーブル６は前述した光ファイバ素線７，内部被覆１４のほか、光ファイバ保護繊維１６，光ファイバ被覆１７などから構成されている。１８はブーツである。図１８は光コネクタアダプタ１に左右から光コネクタプラグ４を装着した状態を示したものである。
【０００４】
前述した従来例のようなＳＣ形コネクタは、例えば、非特許文献１に示されている。また、前記従来例とタイプの異なる光コネクタとしては、例えば、特許文献１や特許文献２に示されている。
【０００５】
【非特許文献１】
スギタ  エツジ（ETSUJI SUGITA ）、外３名、「ＳＣタイプ  シングルモード  オプティカル  ファイバ  コネクタ（SC-Type Single-Mode Optical Fiber Connectors）」“ジャーナル  オブ  ライトウエーブ  テクノロジー（JOURNAL OF LIGHTWAVE TECHNOLOGY ）”（米国）、アイ・イー・イー・イー（IEEE）、平成１年１１月、第７巻第１１号［VOL.7,NO.11 ,NOVEMBER 1989］、ｐ．１６８９〜１６９６
【特許文献１】
特開昭６２−１０６４１９号公報（第２頁下段右欄ー第３頁上段左欄、第１図）
【特許文献２】
特開平１−１７９１０６号公報（第２頁第３頁上段左欄、第１図，第２図）
【０００６】
このように、従来の光コネクタは、光コネクタアダプタ１の両側に光ファイバ素線７を支持する着脱可能な光コネクタプラグ４を備え、どちらか一方の光コネクタプラグ４の着脱によって光ファイバ素線７同士の接続と非接続を任意に実現するものである。
【０００７】
【発明が解決しようとする課題】
前述した従来の光コネクタは、光コネクタアダプタに両側から光コネクタプラグ４を挿入し、両方の光ファイバ素線７の先端同士の接続と非接続を任意に実現するために、フェルール５，プラグハウジング１１，スプリング１３などから構成され、且つ光ファイバ素線７の先端面の鏡面性及びその設置位置の精密性が求められるため、比較的高価な光コネクタプラグ４が光コネクタアダプタ１の両端にそれぞれ必要であるという欠点がある。
本発明は、従来２つ必要であった光コネクタプラグの一方を必要とせず、簡易で安価な構造により光ファイバ素線同士の接続と非接続を任意に実現可能な光コネクタアダプタを提供するものである。
【０００８】
【課題を解決するための手段】
本願の第１の発明による光コネクタアダプタは、第１の光ファイバケーブルと第２の光ファイバケーブルの各光ファイバ素線をアダプタハウジング内で接続する光コネクタアダプタであって、前記光コネクタアダプタの前記アダプタハウジングの一方に設けられ前記第１の光ファイバケーブルの光ファイバ素線をフェルールに支持されて取り付けられた光コネクタプラグを着脱自在に収容するための光コネクタプラグ収容部と、前記アダプタハウジングの他方に設けられ前記第１の光ファイバケーブルの光ファイバ素線と前記第２の光ファイバケーブルの光ファイバ素線が同軸上で対向するように前記第２の光ファイバケーブルの光ファイバ素線の少なくとも一部を収容する収容孔が設けられた光ファイバ素線収容部と、前記コネクタプラグ収容部と前記光ファイバ素線収容部との間に前記両光ファイバ素線の軸方向に直交するように設けられた薄膜状の屈折率整合部材とを備えたことを特徴とするものである。
【０００９】
本願の第２の発明による光コネクタアダプタは、第１の光ファイバケーブルと第２の光ファイバケーブルの各光ファイバ素線をアダプタハウジング内で接続する光コネクタアダプタであって、一方側に光コネクタプラグが収容される筒状部が形成され他方側に前記筒状部の中心に沿って開口孔を有するブロック部が形成されたアダプタハウジングと、該アダプタハウジングの前記筒状部の内部空間から前記開口孔に亘って設けられた円筒状のアダプタ内部ハウジングと、該アダプタ内部ハウジングの前記内部空間側に前記第１の光ファイバケーブルが接続された前記光コネクタプラグの光ファイバ素線を支持したフェルールを収容するフェルール収容部が形成され、前記開口孔側に前記第１の光ファイバケーブルの光ファイバ素線と同軸上で対向するように第２の光ファイバケーブルの光ファイバ素線を収容する収容孔が設けられた円柱状の光ファイバ素線収容部が形成され、かつ前記フェルール収容部と前記光ファイバ素線収容部との間に前記両光ファイバ素線の軸方向に直交するように薄膜状の屈折率整合部材が設けられ、前記アダプタ内部ハウジングの内部に挿入された光接続補助部材とを備えたことを特徴とするものである。
【００１０】
【発明の実施の形態】
図１〜図５は本発明の光コネクタアダプタ２１の一実施例を示すものであり、図１はアダプタハウジング２２と、この光コネクタアダプタ２１に接続される光ファイバケーブル６の斜視図であり、図１（ａ）は一方の接続端側であるＡ側から，図１（ｂ）は他方の接続端側であるＢ側からそれぞれ視たものである。このアダプタハウジング２２のＡ側には従来例として図１７に示した光コネクタプラグ４が接続され、Ｂ側には光ファイバケーブル６の光ファイバ素線７が接続されるものである。この光コネクタアダプタ２１を構成する各部を説明する。
【００１１】
光コネクタアダプタ２１は、図２の側面断面図に示すようにアダプタハウジング２２の一方のＡ側は方形の筒状部２３として形成され、他方のＢ側は４隅の角を落とした若干縦長の方形のブロック部２４として形成され、その中央部に円形の開口孔２５が設けられると共に、上下２箇所に当該光コネクタアダプタ２１を図示していないパネルなどへの取付けるためのねじ用孔２６が設けられている。
【００１２】
次に、アダプタハウジング２２の開口孔２５には、円筒状のアダプタ内部ハウジング２７が装着されており、更にアダプタ内部ハウジング２７の内部には、光接続補助部材２８が挿入されている。円筒状のアダプタ内部ハウジング２７の両端は内側にフランジ２９が形成され、光接続補助部材２８の抜け落ちを防止している。アダプタハウジング２２とアダプタ内部ハウジング２７は、左右２体のものを図２の線Ｘ−Ｘの箇所で融着などにより接合し、一体のものとして形成したものである。
【００１３】
光接続補助部材２８は、図３（ａ）（ｂ）（ｃ）（ｄ）の左側面図，正面図，右側面図．底面図と、図４（ａ）の斜視図に示すように光コネクタプラグ４が接続されるＡ側に位置する部分と、光ファイバケーブル６の光ファイバ素線７を接続するＢ側に位置する部分とで形状を異にしている。なお、図４（ｂ）は当該光接続補助部材２８に接続される光ファイバケーブル６の先端部分も一緒に示してある。
【００１４】
図３と図４のＡ側に示した部分は光コネクタプラグ４のフェルール５を収容するフェルール収容部３０であり、横方向にスリット３１が設けられた円筒状に形成された、所謂、割りスリーブと同様の構造である。また、Ｂ側の部分は光ファイバケーブル６の光ファイバ素線７と内部被覆１４とを収容固定する円柱状に形成された素線収容部３２が形成されており、軸方向中央部に光ファイバケーブル６の内部被覆１４が収容される若干太い収容孔３３と、光ファイバ素線７が収容される細い収容孔３４とが同一軸上に設けられ、両者の切り替わり部分にはテーパー３５が設けられている。なお、光接続補助部材２８の素線収容部３２は、前述のように光ファイバ素線７と、この光ファイバ素線７を被覆している内部被覆１４部分を含んで収容する収容部を指しているものである。
【００１５】
Ａ側のフェルール収容部３０とＢ側の素線収容部３２との連結部分には、フェルール収容部３０の繋ぎ目の箇所に縦方向にスリット３６が設けられており、フェルール収容部３０の横方向のスリット３１の形成部分と反対側に連結部３７が形成されている。この光接続補助部材２８の材質は、例えばジルコニア，リン青銅などが用いられる。
この連結部３７の素線収容部３２の端面には、光ファイバ素線端における接続損失や反射損失などを抑制するために、屈折率が光ファイバ素線７のコアと同程度の屈折率を有する、例えばシリコンによる薄膜状の屈折率整合部材３８が光ファイバ素線７の収容孔３４を塞ぐように接着剤等で固定してある。
【００１６】
図５に示す前述の光コネクタアダプタ２１のＡ側のフェルール収容部３０には、一方の着脱自在な光ファイバケーブル６の光コネクタプラグ４が接続され、光コネクタアダプタ２１のＢ側の素線収容部３２には他方の光ファイバケーブル６の光ファイバ素線７と内部被覆１４とが装着固定された状態の一部側面断面図を示してある。この図５から明らかなように、Ｂ側の素線収容部３２に収容された光ファイバ素線７は、その先端が屈折率整合部材３８に突き当たった状態でアダプタハウジング２２への収容部分で接着剤３９により固定され、屈折率整合部材３８を介してＡ側の光コネクタプラグ４に接続された光ファイバケーブル６の光ファイバ素線７と接続されるものである。従って、本発明の光コネクタアダプタ２１は、光ファイバケーブル６の光ファイバ素線７を直付けで接続することができるため、複雑で高価な光コネクタプラグ４を用いた光ファイバケーブル６の接続は１つでよく、光ファイバケーブルの接続のコストダウンを図ることができる。
【００１７】
【実施例】
次に本発明の光コネクタアダプタ２１の他の実施例を図６〜図１０に基づいて説明する。なお、前述した実施例と同じ部分は同じ記号で表し、その説明を省略する。この実施例は、例えば光情報通信分野で使用される光ファイバ素線７の外径が、例えば１２５μｍ程度と細いものである場合は、光ファイバ素線の特性として極めて脆く折れやすい性質を持っている。そのため、アダプタ内部ハウジング２７内の光接続補助部材２８の素線収容部３２に収容固定する際、十分に慎重に作業をする必要があり作業効率上難点がある。この実施例は、光ファイバ素線７の外径が細い場合でも破損の危険性を軽減して作業効率の向上が図れるようにしたものである。
【００１８】
図６は光コネクタアダプタ４０のアダプタハウジング２２と、この光コネクタアダプタ４０に接続される光ファイバケーブル６の先端部分の斜視図であり、図１に示した実施例とほぼ同様の外観形状である。相違する点は、図９に示すようにアダプタ内部ハウジング２８に挿入される光接続補助部材４１の構造が異なる点と、図７及び図８に示すように光ファイバ素線７の挿入部分に光ファイバ素線保護部材４２を設けた点である。この相違点の構造を図７〜図１０により説明する。
【００１９】
図７は光ファイバケーブル６の接続先端部と光接続補助部材４１の斜視図である。この光ファイバケーブル６の先端部は、光ファイバ素線７と内部被覆１４とに跨がるように、光ファイバ素線保護部材４２が装着されており、光ファイバ素線７の先端部は短い状態で突き出ている。この光ファイバ素線保護部材４２の内部構造は図８（ａ）（ｂ）（ｃ）の左側面図，正面図，右側面図に示すように、円柱体の中心部に光ファイバケーブル６の内部被覆１４が収容できるように内径が大きい収容孔４３と、光ファイバ素線７が収容される内径が小さい収容孔４４とが設けられ、その切り替わり部にはテーパー４５が設けられている。
【００２０】
また、光接続補助部材４１の素線収容部４６は、図９（ａ）（ｂ）（ｃ）（ｄ）の左側面図，正面図，右側面図，底面図と、図１０の光コネクタアダプタ２１の側面断面図とから明らかなように、光ファイバ素線保護部材４２が収容できる大きな内径の収容孔４７と、光ファイバ素線７が収容される内径の小さく短い収容孔４８とが形成されている。従って、光ファイバ素線７は、光ファイバ素線保護部材４２により固定され、かつ先端露出部分が短いため光接続補助部材４１の収容孔４８に容易に挿入することができる。
【００２１】
図１１（ａ）（ｂ）に前述の光コネクタアダプタ４０のＡ側に一方の光ファイバケーブル６が着脱自在光なコネクタプラグ４により接続され、Ｂ側の光接続補助部材４１の素線収容部４６に他方の光ファイバケーブル６の光ファイバ素線７が接続されている状態の側面断面図を示してある。即ち、図１１（ｂ）の光接続補助部材４１の素線収容部４６部分の拡大図から明らかなように、光接続補助部材４１の素線収容部４６の内径の大きい収容孔４７に光ファイバ素線保護部材４２が収容され、内径の小さく短い収容孔４８に光ファイバ素線保護部材４２よって保護された光ファイバ素線７が接続されている。
【００２２】
次に、図１２と図１３に基づき、光コネクタアダプタ４０に直付けされる光ファイバケーブル６の光ファイバ素線７を保護するために、素線収容部４６から外部に引き出された内部被覆１４部分に急激な曲げ応力が加わらないようにガイド部材を設けた実施例を説明する。
図１２は、前述の円柱体の光ファイバ素線保護部材４２に光ファイバのガイド部４９を一体的に形成して、ガイド部付素線保護部材５０としたものである。このガイド部４９は、光ファイバ素線が永久破壊に至らないか、曲げによる損失が生じない半径以上の例えば半径３０mm以上で湾曲させるようにする。またガイド部４９の断面形状は、内部被覆１４がガイド部４９から外れ難いようにするため、例えば１８０°程度以下の円弧状溝５１として形成することが望ましい。また、必要に応じて接着剤で固定するようにしてもよい。
【００２３】
図１３はガイド部材の他の実施例を示すもので、アダプタハウジング５２の光ファイバ素線７挿入口の近傍にガイド部材５３を設けたものである。このガイド部材５３の形成の方法は、アダプタハウジング５２の成型時に一体的に形成してもよいし、ガイド部材５３を別体に形成し、アダプタハウジング５２の光ファイバ素線７挿入口の近傍にガイド部材５３の一端を差し込む図示していない固定孔を設け、この固定孔にガイド部材５３の一端を差し込んで接着剤等で固定するようにしてもよい。このガイド部材５３も前述のガイド部４９と同様に所要の半径の曲線形状にすると共に、円弧状溝５４を形成することが望ましい。
【００２４】
前述の実施例では、光コネクタアダプタ２１の光接続補助部材４１の素線収容部３２又は４６に光ファイバ素線７が接続されていない構成の光コネクタアダプタとして説明したが、素線収容部３２又は４６に光ファイバ素線７が予め接続された光コネクタアダプタとして構成してもよい。即ち、光コネクタアダプタ２１の光接続補助部材４１の素線収容部３２又は４６に光ファイバ素線７を接続する作業を作業現場で行うことが繁雑な場合や、光ファイバケーブルの接続装置として接続架に光コネクタアダプタを多数配置し、光接続補助部材４１の素線収容部３２又は４６に予め光ファイバケーブルの光ファイバ素線７を接続して出荷する場合などがあり、このような場合は、予め接続した構成とすることになる。
【００２５】
【発明の効果】
以上詳細に説明したように、従来の光コネクタは、光コネクタアダプタに比較的高価な２つの光コネクタプラグを左右から差し込む構造であったため、高価な光コネクタにならざるを得なかったが、本発明による光コネクタは、一方の光ファイバを光コネクタアダプタに直付けすることのできる光コネクタアダプタとすることにより、比較的高価なプラグの一方を不要とし、簡便で安価なファイバ端同士の接続と非接続を任意に行い得るようにし、接続精度を維持しながら低価格化を実現したものである。
【図面の簡単な説明】
【図１】本発明による光コネクタアダプタにおけるアダプタハウジングと光ファイバケーブルの一実施例を示す斜視図である。
【図２】本発明による光コネクタアダプタにおけるアダプタハウジングの一実施例を示す側面断面図である。
【図３】本発明の光コネクタアダプタに使用される光接続補助部材の一実施例を示す左側面図，正面図，右側面図，底面図である。
【図４】本発明の光コネクタアダプタに使用される光接続補助部材と光ファイバ素線部分の一実施例を示す斜視図である。
【図５】本発明による光コネクタアダプタと光コネクタプラグとの接続状態の一実施例を示す側面断面図である。
【図６】本発明による光コネクタアダプタにおけるアダプタハウジングと光ファイバケーブルの他の実施例を示す斜視図である。
【図７】本発明の光コネクタアダプタに使用される光接続補助部材と光ファイバ素線保護部材を装着した光ファイバ素線部分の他の実施例を示す斜視図である。
【図８】本発明の光コネクタアダプタに使用される光ファイバ素線保護部材の一実施例を示す左側面図，正面図，右側面図である。
【図９】本発明の光コネクタアダプタに使用される光接続補助部材の他の実施例を示す左側面図，正面図，右側面図，底面図である。
【図１０】本発明による光コネクタアダプタにおけるアダプタハウジングの他の実施例を示す側面断面図である。
【図１１】本発明による光コネクタアダプタと光コネクタプラグとの接続状態の他の実施例を示す側面断面図である。
【図１２】本発明の光コネクタアダプタに使用されるガイド部材の一実施例を示す斜視図である。
【図１３】本発明の光コネクタアダプタに使用されるガイド部材の他の実施例を示す斜視図である。
【図１４】従来の光コネクタにおける光コネクタプラグと光コネクタアダプタの一例を示す斜視図である。
【図１５】従来の光コネクタアダプタの一例を示す側面断面図である。
【図１６】従来の光コネクタアダプタに使用される光接続補助部材の一例を示す左側面図，正面図，右側面図，底面図である。
【図１７】従来の光コネクタプラグの一例を示す側面断面図である。
【図１８】従来の光コネクタアダプタと光コネクタプラグとの接続状態の一例を示す側面断面図である。
【符号の説明】
１  光コネクタアダプタ
２  アダプタハウジング
３  接続開口部
４  光コネクタプラグ
５  フェルール
６  光ファイバケーブル
７  光ファイバ素線
８  アダプタ内部ハウジング
９  割りスリーブ
１０  スリット
１１  プラグハウジング
１２  プラグ内部ハウジング
１３  スプリング
１４  内部被覆
１５  内部かしめ部品
１６  光ファイバ保護繊維
１７  光ファイバ被覆
１８  ブーツ
２１  光コネクタアダプタ
２２  アダプタハウジング
２３  筒状部
２４  ブロック部
２５  開口孔
２６  ねじ用孔
２７  アダプタ内部ハウジング
２８  光接続補助部材
２９  フランジ
３０  フェルール収容部
３１  横方向のスリット
３２  素線収容部
３３  太い収容孔
３４  細い収容孔
３５  テーパー
３６  縦方向にスリット
３７  連結部
３８  屈折率整合部材
３９  接着剤
４０  光コネクタアダプタ
４１  光接続補助部材
４２  光ファイバ素線保護部材
４３  内部被覆部の収容孔
４４  素線の収容孔
４５  テーパー
４６  素線収容部
４７  光ファイバ素線保護部材の収容孔
４８  素線の収容孔
４９  ガイド部
５０  ガイド部付素線保護部材
５１  円弧状溝
５２  アダプタハウジング
５３  ガイド部材
【図１】
2004191717.tif 000003
【図２】
2004191717.tif 000004
【図３】
2004191717.tif 000005
【図４】
2004191717.tif 000006
【図５】
2004191717.tif 000007
【図６】
2004191717.tif 000008
【図７】
2004191717.tif 000009
【図８】
2004191717.tif 000010
【図９】
2004191717.tif 000011
【図１０】
2004191717.tif 000012
【図１１】
2004191717.tif 000013
【図１２】
2004191717.tif 000014
【図１３】
2004191717.tif 000015
【図１４】
2004191717.tif 000016
【図１５】
2004191717.tif 000017
【図１６】
2004191717.tif 000018
【図１７】
2004191717.tif 000019
【図１８】
2004191717.tif 000020